(57)【要約】【課題】太陽光アレイ１０が太陽電池モジュール１５ａ等の並列接続のみから構成されている場合であっても適用可能な、実用性を備えた太陽電池モジュール１５ａ等の故障検出方法を提供する。【解決手段】太陽電池モジュール１５ａ等により並列接続回路の太陽光アレイ１０を構成する場合、各太陽電池モジュール１５ａ等において発電素子２ａ等の＋側配線と直列に逆流防止ダイオード４ａ等を挿入する。太陽光アレイ１０において太陽電池モジュールの１個（例。太陽電池モジュール１５ｂ）が故障し、その電圧が異常に低下した場合、他の正常な太陽電池モジュール（例。太陽電池モジュール１５ａ、１５ｃ）との間の電圧差により逆流防止ダイオード４ｂが逆バイアス状態となる。一方、故障検出回路１７ｂ内の発光ダイオード６ｂは順バイアス状態となるため点灯する。発光ダイオード６ｂの点灯状態は端子ボックス１６ｂの透明部分（不図示）から確認する。【選択図】  図１
2005044824.tif 000002
【特許請求の範囲】
【請求項１】
太陽光アレイを構成する太陽電池モジュールの故障検出方法であって、該太陽光アレイは複数の太陽電池モジュールを並列接続して構成され、該太陽電池モジュールは該太陽電池モジュール内の発電素子の＋側配線と直列に接続された逆流防止ダイオードと並列に接続した故障検出回路を有しており、
前記太陽光アレイ中の太陽電池モジュールが故障した場合、前記故障検出回路により、故障した太陽電池モジュールの電圧低下によって前記逆流防止ダイオードに発生するカットオフ状態を検出すると共に、該故障した太陽電池モジュールを外部へ判別可能に表示することを特徴とする太陽電池モジュールの故障検出方法。
【請求項２】
請求項１記載の太陽電池モジュールの故障検出方法において、前記故障検出回路は定電流素子と発光ダイオードとを直列に接続した回路であり、該故障検出回路により、前記逆流防止ダイオードの両端に発生した逆バイアス電圧で前記発光ダイオードを発光させることにより、故障した前記太陽電池モジュールを外部へ判別可能に表示することを特徴とする太陽電池モジュールの故障検出方法。
【請求項３】
請求項１記載の太陽電池モジュールの故障検出方法において、前記故障検出回路は定電流素子とソリッドステートリレーの入力端子部とを直列に接続し、該ソリッドステートリレーの出力側と発光ダイオードとを接続した回路であり、該故障検出回路により、前記逆流防止ダイオードの両端に発生した逆バイアス電圧で前記ソリッドステートリレーを動作させて前記発光ダイオードを発光させ、該ソリッドステートリレーの出力を外部へ送信することにより、故障した前記太陽電池モジュールを外部へ判別可能に表示することを特徴とする太陽電池モジュールの故障検出方法。
【請求項４】
太陽光アレイを構成する太陽電池モジュールが有する故障検出回路であって、該太陽光アレイは複数の太陽電池モジュールを並列接続して構成されており、
前記太陽電池モジュール内の発電素子の＋側配線と直列に接続された逆流防止ダイオードと並列に接続され、前記太陽光アレイ中の太陽電池モジュールが故障した場合、故障した太陽電池モジュールの電圧低下によって前記逆流防止ダイオードに発生するカットオフ状態を検出すると共に、該故障した太陽電池モジュールを外部へ判別可能に表示することを特徴とする太陽電池モジュールの故障検出回路。
【請求項５】
請求項４記載の太陽電池モジュールの故障検出回路は定電流素子と発光ダイオードとを直列に接続した回路であり、前記逆流防止ダイオードの両端に発生した逆バイアス電圧で前記発光ダイオードを発光させることにより、故障した前記太陽電池モジュールを外部へ判別可能に表示することを特徴とする太陽電池モジュールの故障検出回路。
【発明の詳細な説明】
【０００１】
【発明の属する技術分野】
本発明は、太陽光アレイを構成する太陽電池モジュールの故障検出方法および故障検出回路に関する。
【０００２】
【従来の技術】
【特許文献１】特開２００３−２３１７１号公報
【特許文献２】特開２００１−６８７０６号公報
【０００３】
太陽光発電システムでは、複数の太陽電池モジュールが直列または並列に接続されて構成された太陽電池アレイにより電力を供給している。ここで、上記太陽電池モジュールのサブモジュールである発電素子の一部が破損した場合、当該破損部分には直列に接続された他の発電素子の電流が流れ込むことにより、異常な発熱が発生して焼損に至る恐れがある。このため、上述のような破損により故障した太陽電池モジュールを早期に検出し、当該太陽電池モジュールの交換等の処置を施すことが必要である。
【０００４】
太陽電池アレイは通常数１０個から数１００個の太陽電池モジュールにより構成されている。このため、それらの太陽電池モジュールの中から故障した太陽電池モジュールを検出または特定するには、太陽光発電システムの運転を停止した上で個々の太陽電池モジュールを点検する必要があった。しかし、上述のように太陽電池モジュールの数は多数であるため、点検には多くの時間と労力とを要するという問題があった。
【０００５】
上述の問題を解決するために、従来、バイパスダイオードを用いた太陽電池モジュールの故障検出が行なわれていた。図３は、従来のバイパスダイオードを用いた太陽電池モジュールの故障検出方法による太陽光アレイ３０を示す。図３において、符号３５ａは太陽電池モジュール、２ａは太陽電池モジュール３５ａのサブモジュールである発電素子、３ａは発電素子２ａと並列に接続されたバイパスダイオードである。符号３５ｂ、３５ｃは太陽電池モジュール３５ａと同様に構成された太陽電池モジュールであり、各々発電素子２ｂおよびバイパスダイオード３ｂ、発電素子２ｃおよびバイパスダイオード３ｃを有している。図３に示されるように、太陽電池モジュール３５ａ、３５ｂおよび３５ｃは直列に接続されており、太陽電池モジュール３５ａは出力端子部１１ａと接続され、太陽電池モジュール３５ｃは出力端子部１１ｂと接続されている。
【０００６】
太陽光アレイ３０の故障検出方法の動作概要は、発電素子２ａ等に並列に挿入されたバイパスダイオード３ａ等の電流を検出することにより、故障した太陽電池モジュールを特定するというものである。図３に示されるように、例えば太陽電池モジュール３５ａの発電素子２ａが正常な場合、バイパスダイオード３ａの逆方向に電圧が印加されるためバイパスダイオード３ａには電流は流れない。しかし、発電素子２ａが故障した場合、他の太陽電池モジュール１ｂ等の電流がバイパスダイオード３ａに流れるため、当該電流を測定することができる。バイパスダイオード３ａ等として発光ダイオードを用いると、故障した太陽電池モジュール３５ａ等の発光ダイオードが点灯するため、故障した太陽電池モジュール３５ａ等の特定を行なうことができる。
【０００７】
特許文献１には他の故障検出方法が記載されている。特許文献１の太陽光モジュール２では、太陽電池素子Ａ１等のＡ列と太陽電池素子Ｂ１等のＢ列とが並列接続されており、このＡ列とＢ列との間にダイオードまたは発光ダイオードをバイパスさせる方法が示されている。この方法は、並列回路を構成する各部分回路（Ａ列、Ｂ列の各回路）が太陽電池素子Ａ１等、Ｂ１等の直列接続回路である場合、その直列接続回路の等電位端子間をダイオードでバイパスさせることにより、太陽電池素子Ａ１等の故障によって上記等電子端子間のバランスが崩れた際にダイオードに電流が流れることを利用したものである。
【０００８】
一方、特許文献２には、各太陽電池ストリング１が並列接続された回路において、逆流防止ダイオード４の両端の電圧検出手段７を用いる方法が記載されている。電圧検出手段７の出力により交流ノイズを重畳させ、この交流ノイズを検出することにより故障の有無を判別する方法が示されている。
【０００９】
【発明が解決しようとする課題】
上述の太陽光アレイ３０の故障検出方法および特許文献１の方法のいずれにおいても、太陽電池素子Ａ１等、Ｂ１等が各々直列接続されていることを必須の要件としていた。従って、故障検出回路３０の方法および特許文献１の方法は、太陽光モジュール２が太陽電池素子Ａ１等の並列接続のみから構成される場合には適用することができないという問題があった。
【００１０】
太陽電池素子を直列に接続する理由は、太陽光発電システムのＰＶ（Ｐｈｏｔｏ  Ｖｏｌｔａｉｃ）インバータに２００〜３００Ｖの高電圧を供給して、太陽電池素子Ａ１等の太陽電池モジュールで発生した電流を交流へ変換するためである。しかし、富士電機株式会社製のＳＣＡＦ（Ｓｅｒｉｅｓ  Ｃｏｎｎｅｃｔｉｏｎ  ｔｈｒｏｕｇｈ  Ａｐｅｒｔｕｒｅｓ  ｆｏｒｍｅｄ  ｏｎ  Ｆｉｌｍ）セルは高電圧出力のサブモジュール（発電素子）を使用しているため、太陽電池モジュールは２００〜３００Ｖの出力電圧を持っており、太陽電池アレイは太陽電池モジュールの並列接続のみから構成されている。従って、このような場合に対しても太陽電池モジュールの故障を検出し、故障した太陽電池モジュールを特定する必要がある。
【００１１】
上述の特許文献２には電圧検出手段７の具体例が示されていなかった。このため実施が困難であるという問題があった。電圧検出手段７として警報回路を備えた電圧計を容易に想到することができるが、それならば敢えて交流ノイズを重畳させる必要はない。従って、特許文献２の方法には実用性に欠けるという問題があった。
【００１２】
そこで、本発明の目的は、上記問題を解決するためになされたものであり、太陽光モジュールまたはアレイが太陽電池モジュールの並列接続のみから構成されている場合であっても適用可能な、実用性を備えた太陽電池モジュールの故障検出方法および故障検出回路を提供することにある。
【００１３】
【課題を解決するための手段】
この発明の太陽電池モジュールの故障検出方法は、太陽光アレイを構成する太陽電池モジュールの故障検出方法であって、該太陽光アレイは複数の太陽電池モジュールを並列接続して構成され、該太陽電池モジュールは該太陽電池モジュール内の発電素子の＋側配線と直列に接続された逆流防止ダイオードと並列に接続した故障検出回路を有しており、前記太陽光アレイ中の太陽電池モジュールが故障した場合、前記故障検出回路により、故障した太陽電池モジュールの電圧低下によって前記逆流防止ダイオードに発生するカットオフ状態を検出すると共に、該故障した太陽電池モジュールを外部へ判別可能に表示することを特徴とする。
【００１４】
ここで、この発明の太陽電池モジュールの故障検出方法において、前記故障検出回路は定電流素子（好適には定電流ダイオード）と発光ダイオードとを直列に接続した回路であり、該故障検出回路により、前記逆流防止ダイオードの両端に発生した逆バイアス電圧で前記発光ダイオードを発光させることにより、故障した前記太陽電池モジュールを外部へ判別可能に表示することができる。
【００１５】
ここで、この発明の太陽電池モジュールの故障検出方法において、前記故障検出回路は定電流素子（好適には定電流ダイオード）とソリッドステートリレーの入力端子部とを直列に接続し、該ソリッドステートリレーの出力側と発光ダイオードとを接続した回路であり、該故障検出回路により、前記逆流防止ダイオードの両端に発生した逆バイアス電圧で前記ソリッドステートリレーを動作させて前記発光ダイオードを発光させ、該ソリッドステートリレーの出力を外部へ送信することにより、故障した前記太陽電池モジュールを外部へ判別可能に表示することができる。
【００１６】
この発明の太陽電池モジュールの故障検出回路は、太陽光アレイを構成する太陽電池モジュールが有する故障検出回路であって、該太陽光アレイは複数の太陽電池モジュールを並列接続して構成されており、前記太陽電池モジュール内の発電素子の＋側配線と直列に接続された逆流防止ダイオードと並列に接続され、前記太陽光アレイ中の太陽電池モジュールが故障した場合、故障した太陽電池モジュールの電圧低下によって前記逆流防止ダイオードに発生するカットオフ状態を検出すると共に、該故障した太陽電池モジュールを外部へ判別可能に表示することを特徴とする。
【００１７】
ここで、この発明の太陽電池モジュールの故障検出回路は定電流素子（好適には定電流ダイオード）と発光ダイオードとを直列に接続した回路であり、前記逆流防止ダイオードの両端に発生した逆バイアス電圧で前記発光ダイオードを発光させることにより、故障した前記太陽電池モジュールを外部へ判別可能に表示することができる。
【００１８】
【発明の実施の形態】
概要．
太陽電池モジュールにより並列接続回路を構成する場合、各太陽電池モジュールに逆流防止ダイオードを挿入する。この逆流防止ダイオードは、並列接続回路を構成する各太陽電池モジュール間で発電能力のバランスが崩れた場合、自動的に出力電流を調整して、出力電圧を揃える機能を有している。故障した太陽電池モジュールは出力電圧が大きく低下し調整範囲を超えてしまうため、逆流防止ダイオードが逆バイアス状態となってカットオフとなる。この場合、逆バイアス電圧は太陽電池モジュールの開放電圧の約２５％以上である。太陽電池モジュールの並列接続のみから構成される太陽光アレイにおいて太陽電池モジュールの１個が故障した場合、逆流防止ダイオードに逆バイアス電圧が発生するため、これを検出することにより故障を検知し、故障した太陽電池モジュールを特定することができる。
【００１９】
以下、本発明の実施の形態につき図面を参照して詳細に説明する。
【００２０】
実施の形態１．
図１は、本発明の実施の形態１における太陽電池モジュールの故障検出方法および故障検出回路を用いた太陽光アレイ１０を示す。図１において、符号１５ａは太陽電池モジュール、２ａは太陽電池モジュール１５ａのサブモジュールである発電素子、１６ａは太陽電池モジュール１５ａの端子ボックス、４ａは発電素子２ａの＋側配線と直列に接続された端子ボックス１６ａ内の逆流防止ダイオード、６ａは端子ボックス１６ａ内の発光ダイオード、７ａは発光ダイオード６ａと直列に接続された端子ボックス１６ａ内の定電流ダイオードである。発光ダイオード６ａおよび定電流ダイオード７ａにより故障検出回路１７ａが構成され、故障検出回路１７ａは端子ボックス１６ａ内で逆流防止ダイオード４ａと並列に接続されている。太陽電池モジュール１５ａは発電素子２ａの電極から端子ボックス１６ａを経由して配線され、出力母線１２ａ、１２ｂに接続されている。
【００２１】
図１において、符号１５ｂ、１５ｃは太陽電池モジュール１５ａと同様に構成された太陽電池モジュールである。太陽電池モジュール１５ｂ内の各要素、例えば発電素子２ｂは後部に付けられた符号ｂが符号ａと異なるだけで上述の太陽電池モジュール１５ａ内の発電素子２ａと同様の機能を有しているため、説明は省略する。太陽電池モジュール１５ｃについても太陽電池モジュール１５ａと同様であるため説明は省略する。図１では出力母線１２ａ、１２ｂに並列に接続された太陽電池モジュール１５ａ、１５ｂおよび１５ｃの３モジュールのみ示しているが、これは例示であって本発明の適用対象は３モジュールに限定されるものではない。以下では、特に区別する場合を除き、太陽電池モジュール１５ａ、１５ｂおよび１５ｃを総称して太陽電池モジュール１５ａ等と言う。同様に、他の要素、例えば発電素子２ａ、２ｂおよび２ｃについても発電素子２ａ等と言う。
【００２２】
次に、太陽光アレイ１０における太陽電池モジュール１５ａ等の故障検出方法について説明する。太陽光アレイ１０が正常運転の場合、各太陽電池モジュール１５ａ等は等しい出力電圧で動作している。この出力電圧はサブモジュール（発電素子）２ａ等から供給されるため、逆流防止ダイオード４ａ等は順方向にバイアスされ、発光ダイオード６ａは逆バイアスとなるため点灯することはない。例えば太陽電池モジュール１５ｂが故障し、その電圧が異常に低下した場合、正常な太陽電池モジュール１５ａ、１５ｃとの間の電圧差により逆流防止ダイオード４ｂが逆バイアス状態となる。一方、故障検出回路１７ｂ内の発光ダイオード６ｂは順バイアス状態となるため点灯する。定電流ダイオード７ａを発光ダイオード６ａと直列に接続する理由は、上記逆バイアス状態における逆バイアス電圧が故障状態によって不安定になるため、発光ダイオード６ａの電流を一定に保ち発光状態を安定させるためである。
【００２３】
例えば、太陽電池モジュール１５ａ等は開放電圧が２８０Ｖの特性を有し、最大出力電圧が２１０Ｖで動作しているものとする。故障検出回路１７ａ等の定電流ダイオード７ａ等および発光ダイオード６ａ等の定格は各々１０ｍＡとする。ここで、太陽電池モジュール１５ｂが故障して、その出力電圧が１３０Ｖへ低下した場合を想定すると、逆流防止ダイオード４ｂの作用により太陽電池モジュール１５ｂの電流が減少する。電圧の低下は２１０Ｖ−１３０Ｖ＝８０Ｖであるため、太陽電池モジュール１５ｂの電圧は２８０Ｖ−８０Ｖ＝２００Ｖを超えることができない。このため太陽電池モジュール１５ｂの逆流防止ダイオード４ｂは、太陽電池モジュール１５ａ、１５ｃの電圧との差、２１０Ｖ−２００Ｖ＝１０Ｖで逆バイアスされ、カットオフになる。この時、故障検出回路１７ｂは１０Ｖで順バイアスされるため、定電流ダイオード７ｂにより１０ｍＡが発光ダイオード６ａに供給され、発光ダイオード６ａが点灯する。端子ボックス６ｂの透明部分（不図示）から発光ダイオード６ｂの点灯状態を確認できるようになっているため、太陽光アレイ１０における故障した太陽電池モジュール１５ｂを確認することができる。
【００２４】
以上より、本発明の実施の形態１によれば、太陽電池モジュール１５ａ等により並列接続回路の太陽光アレイ１０を構成する場合、各太陽電池モジュール１５ａ等において発電素子２ａ等の＋側配線と直列に逆流防止ダイオード４ａ等を挿入する。太陽光アレイ１０において太陽電池モジュールの１個（例えば太陽電池モジュール１５ｂ）が故障し、その電圧が異常に低下した場合、他の正常な太陽電池モジュール（例えば太陽電池モジュール１５ａ、１５ｃ）との間の電圧差により逆流防止ダイオード４ｂが逆バイアス状態となる。一方、故障検出回路１７ｂ内の発光ダイオード６ｂは順バイアス状態となるため点灯する。端子ボックス６ｂの透明部分（不図示）から発光ダイオード６ｂの点灯状態を確認することができるため、太陽光アレイ１０における故障した太陽電池モジュール１５ｂを確認することができる。従って、太陽光アレイ１０が太陽電池モジュール１５ａ等の並列接続のみから構成されている場合であっても適用可能な、実用性を備えた太陽電池モジュール１５ａ等の故障検出方法を提供することができる。
【００２５】
実施の形態２．
図２は、本発明の実施の形態２における太陽電池モジュールの故障検出方法および故障検出回路を用いた太陽光アレイ２０を示す。図２で図１と同じ符号を付した要素は同じ機能を有するため説明は省略する。図２において、符号２７ａは故障検出回路、２６ａは故障検出回路２７ａを有する端子ボックス、８ａは定電流ダイオード７ａと入力端子部が直列に接続されたソリッドステートリレーである。ソリッドステートリレー８ａの出力側は発光ダイオード６ａと接続されており、故障警報回路（不図示）側の配線１３ａ、１３ｂと接続されている。
【００２６】
図２において、符号２５ｂ、２５ｃは太陽電池モジュール２５ａと同様に構成された太陽電池モジュールである。太陽電池モジュール２５ｂ内の各要素、例えば故障検出回路２７ｂは後部に付けられた符号ｂが符号ａと異なるだけで上述の太陽電池モジュール２５ａ内の故障検出回路２７ａと同様の機能を有しているため、説明は省略する。太陽電池モジュール２５ｃについても太陽電池モジュール２５ａと同様であるため説明は省略する。図２では出力母線１２ａ、１２ｂに並列に接続された太陽電池モジュール２５ａ、２５ｂおよび２５ｃの３モジュールのみ示しているが、これは例示であって本発明の適用対象は３モジュールに限定されるものではない。以下では、特に区別する場合を除き、太陽電池モジュール２５ａ、２５ｂおよび２５ｃを総称して太陽電池モジュール２５ａ等と言う。同様に、他の要素、例えば故障検出回路２７ａ、２７ｂおよび２７ｃについても故障検出回路２７ａ等と言う。
【００２７】
次に、太陽光アレイ２０における太陽電池モジュール２５ａ等の故障検出方法について説明する。太陽光アレイ２０が正常運転の場合、各太陽電池モジュール２５ａ等は等しい出力電圧で動作している。この出力電圧はサブモジュール（発電素子）２ａ等から供給されるため、逆流防止ダイオード４ａ等は順方向にバイアスされる。ソリッドステートリレー８ａ等はオフ状態であるため発光ダイオード６ａは点灯することはない。例えば太陽電池モジュール２５ｂが故障し、その電圧が異常に低下した場合、正常な太陽電池モジュール２５ａ、２５ｃとの間の電圧差により逆流防止ダイオード４ｂが逆バイアス状態となる。この逆流防止ダイオード４ｂの逆バイアス電圧によりソリッドステートリレー８ｂがオン状態となる。上述のように、ソリッドステートリレー８ｂの出力は、出力母線１２ａ、１２ｂとは独立に設けられた故障警報回路側の配線１３ａ、１３ｂと接続されているため、故障警報回路を通して供給される電圧により発光ダイオード６ｂが点灯すると同時に、故障信号を送出することができる。
【００２８】
以上より、本発明の実施の形態２によれば、太陽電池モジュール２５ａ等により並列接続回路の太陽光アレイ２０を構成する場合、各太陽電池モジュール２５ａ等の故障検出回路２７ａ等にソリッドステートリレー８ａ等を用いる。太陽電池モジュール２５ａ等が故障した場合、逆流防止ダイオード４ａ等の逆バイアス電圧によりソリッドステートリレー８ａ等をオン状態となる。ソリッドステートリレー８ａ等の出力は故障警報回路側の配線１３ａ、１３ｂと接続されているため、故障警報回路を通して供給される電圧により発光ダイオード６ａ等が点灯すると同時に、故障信号を送出することができる。端子ボックス２６ａ等の透明部分（不図示）から発光ダイオード６ａ等の点灯状態を確認することができるため、太陽光アレイ２０における故障した太陽電池モジュール２５ａ等を確認することができる。従って、太陽光アレイ２０が太陽電池モジュール２５ａ等の並列接続のみから構成されている場合であっても適用可能な、実用性を備えた太陽電池モジュール２５ａ等の故障検出方法を提供することができる。
【００２９】
【発明の効果】
以上説明した通り、本発明の太陽電池モジュールの故障検出方法によれば、太陽電池モジュールにより並列接続回路の太陽光アレイを構成する場合、各太陽電池モジュールにおいて発電素子の＋側配線と直列に逆流防止ダイオードを挿入する。太陽光アレイにおいて太陽電池モジュールの１個が故障した場合、他の正常な太陽電池モジュールとの間の電圧差により逆流防止ダイオードが逆バイアス状態となる。この時、故障検出回路内の発光ダイオードは順バイアス状態となるため点灯する。端子ボックスの透明部分から発光ダイオードの点灯状態を確認することができるため、太陽光アレイにおける故障した太陽電池モジュールを確認することができる。従って、太陽光アレイが太陽電池モジュールの並列接続のみから構成されている場合であっても適用可能な、実用性を備えた太陽電池モジュールの故障検出方法を提供することができる。
【図面の簡単な説明】
【図１】本発明の実施の形態１における太陽電池モジュールの故障検出方法および故障検出回路を用いた太陽光アレイ１０を示す図である。
【図２】本発明の実施の形態２における太陽電池モジュールの故障検出方法および故障検出回路を用いた太陽光アレイ２０を示す図である。
【図３】従来のバイパスダイオードを用いた太陽電池モジュールの故障検出方法による太陽光アレイ３０を示す図である。
【符号の説明】
２ａ，２ｂ，２ｃ  発電素子、  ３ａ，３ｂ，３ｃ  バイパスダイオード、  ４ａ，４ｂ，４ｃ  逆流防止ダイオード、  ６ａ，６ｂ，６ｃ  発光ダイオード、  ７ａ，７ｂ，７ｃ  定電流ダイオード、  ８ａ，８ｂ，８ｃ  ソリッドステートリレー、  １０、２０、３０  太陽光アレイ、  １１ａ，１１ｂ  出力端子部、  １２ａ，１２ｂ  出力母線、  １３ａ，１３ｂ  故障警報回路側配線、  １５ａ，１５ｂ，１５ｃ，２５ａ，２５ｂ，２５ｃ，３５ａ，３５ｂ，３５ｃ  太陽電池モジュール、  １６ａ，１６ｂ，１６ｃ，２６ａ，２６ｂ，２６ｃ  端子ボックス、  １７ａ、１７ｂ，１７ｃ，２７ａ，２７ｂ，２７ｃ  故障検出回路。
【図１】
2005044824.tif 000003
【図２】
2005044824.tif 000004
【図３】
2005044824.tif 000005